(57)【要約】【課題】  胸を張りながら骨盤の前傾姿勢を保つことを効果的に補佐できる衣服を提供する。【解決手段】  アンダーウェア１の背面部には、大殿筋の仙骨側を、当該仙骨に対応する領域を内側に位置させるようにカバーするようにパターンＰＡ１が形成されている。アンダーウェア１の正面部において、パターンＰＡ１が形成された領域に対応する正面部の領域内の下部領域で下腹部周辺をカバーするようにパターンＰＡ２が形成されている。背面部には、着用時に胸部を広げる向きの張力を両肩部に発生させるパターンＰＢ１が形成されている。【選択図】  図２
2014058746.tif 000002
【特許請求の範囲】
【請求項１】
人体に密着して着用される衣服であって、
背面に位置し、着用時に胸部を広げる向きの張力を両肩部に発生させる第１のパターンと、
背面において大殿筋の仙骨側を、当該仙骨に対応する領域を内側に位置させるようにカバーし、略伸縮しない第２のパターンと、
正面において前記第２パターンに対応する領域内の下部領域で下腹部周辺をカバーし、略伸縮しない第３のパターンと、
前記第１のパターン、前記第２のパターンおよび前記第３のパターンが形成された領域以外の領域に位置し、前記第１のパターン、前記第２のパターンおよび前記第３のパターンに比べて伸び率が高い第４のパターンと
を有する衣服。
【請求項２】
袖下から広背筋、大腿筋膜張筋および大殿筋の各々の少なくとも一部に対応する領域をカバーし、伸び率が、前記第１のパターンと略同じで、前記第２のパターンおよび前記第３のパターンより高く、且つ前記第４のパターンより低い第５のパターン
をさらに有する請求項１に記載の衣服。
【請求項３】
前記第３のパターンに腹部側で隣接して位置し、へそに相当する領域をカバーし、前記第５のパターンと略同じ伸び率を有する第６のパターンをさらに有する
請求項２に記載の衣服。
【請求項４】
前記第３のパターンと前記第６のパターンとの間に、腹直筋と外腹斜筋との境界パターンに略沿ったストライプ状の前記第４のパターンが介在している
請求項３に記載の衣服。
【請求項５】
前記第１のパターンは、
両肩から左右の肩甲骨の間付近に向けて延びる第１の部分パターンと、
前記左右の肩甲骨の間付近で前記第１の部分パターンと接合し、両袖下付近に延びる第２の部分パターンと
を有する請求項２〜４のいずれかに記載の衣服。
【請求項６】
前記第１のパターンは、
右肩から左右の肩甲骨の間付近に向けて延びる第１の部分パターンと、
前記左右の肩甲骨の間付近で前記第１の部分パターンと接合し、右袖下付近に延びる第２の部分パターンと、
左肩から前記左右の肩甲骨の間付近に向けて延びる第３の部分パターンと、
前記左右の肩甲骨の間付近で前記第３の部分パターンと接合し、左袖下付近に延びる第４の部分パターンと
を有し、
前記第１の部分パターンと前記第２の部分パターンとの接合部と、前記第３の部分パターンと前記第４の部分パターンとの接合部は離間しており、当該離間箇所に前記第４のパターンが形成されている
請求項２〜４のいずれかに記載の衣服。
【請求項７】
前記第１の部分パターンと前記第２の部分パターンとの接合部と、前記第３の部分パターンと前記第４の部分パターンとの接合部との各々には、各々の前記接合部の先端の凸形状に応じた凸形状をした前記第４のパターンの開口部が形成されている
請求項６に記載の衣服。
【請求項８】
前記第１のパターン、前記第５のパターンおよび前記第６のパターンは、
前記第４のパターンに比べて、伸び率は小さく、引っ張りに対しての回復力は大きい
請求項３〜７のいずれかに記載の衣服。
【請求項９】
縫工筋上にその筋繊維方向に略沿って位置し、前記第１のパターンと同じ材質の第７のパターン
をさらに有する請求項２〜８のいずれかに記載の衣服。
【請求項１０】
前記第５のパターンと前記第７のパターンとの間には、大腿筋膜張筋と縫工筋との境界領域に沿った略Ｌ字の前記第４のパターンが形成されている
請求項７に記載の衣服。
【発明の詳細な説明】
【技術分野】
【０００１】
本発明は、スキー等のスポーツのアンダーウェアに適した衣服に関するものである。
【背景技術】
【０００２】
例えば、特許文献１に開示された衣服のように、体形を整え、腰椎の前湾を弱めるための機能を備えた衣服がある。
この衣服は、少なくとも下半身の一部をカバーし、股部を有しており人体にフィットさせて着用する伸縮性生地からなる。
また、この衣服は、部分的に緊締力の強い部分を有しており、緊締力の強い部分として、衣服後側の人体の仙骨から腰椎上のいずれかの部分に相当する位置に於いて左右部分が連結しており、前記位置から左右の大殿筋のほぼ筋繊維方向に沿って臀部の膨らみの頂点又はその近傍を通り少なくとも大転子近傍に至る部分をカバーする強緊締力部を備えている。
また、この衣服は、下腹部の腹直筋上に於いて左右部分が連結しており、下腹部の腹直筋上から左右の内腹斜筋のほぼ筋繊維方向に沿って斜め下方向に向かい少なくとも大転子近傍に至る部分をカバーしている強緊締力部を備えている。
【先行技術文献】
【特許文献】
【０００３】
【特許文献１】特開２００１−１９２９０３号公報
【発明の概要】
【発明が解決しようとする課題】
【０００４】
ところで、スキー等のスポーツでは、胸を張りながら骨盤の前傾姿勢を保持することを補佐する機能を持たせたいという要請がある。
しかしながら、上述した引用文献１に記載された衣服には、そのような要請に応えることはできないという問題がある。
【０００５】
本発明はかかる事情に鑑みてなされたものであり、その目的は、胸を張りながら骨盤の前傾姿勢を保つことを効果的に補佐できる衣服を提供することにある。
【課題を解決するための手段】
【０００６】
本発明の衣服は、人体に密着して着用される衣服であって、背面に位置し、着用時に胸部を広げる向きの張力を両肩部に発生させる第１のパターンと、背面において大殿筋の仙骨側を、当該仙骨に対応する領域を内側に位置させるようにカバーし、略伸縮しない第２のパターンと、正面において前記第２パターンに対応する領域内の下部領域で下腹部周辺をカバーし、略伸縮しない第３のパターンと、前記第１のパターン、前記第２のパターンおよび前記第３のパターンが形成された領域以外の領域に位置し、前記第１のパターン、前記第２のパターンおよび前記第３のパターンに比べて伸び率が高い第４のパターンとを有する。
【０００７】
上述したように、衣服の正面部において、第２のパターンに対応する領域内の下部領域で下腹部周辺をカバーするように第３のパターンを形成したことで、衣服の正面の第２のパターンの上側で折れて骨盤の前傾姿勢を取り易くなる。
また、第１のパターンによって装着者の胸部を広げるように力を作用させ、これが第２および第３のパターンの上記作用と組み合わさり、装着者が骨盤の前傾姿勢を取りやすくなる。
【０００８】
好適には、本発明の衣服は、袖下から広背筋、大腿筋膜張筋および大殿筋の各々の少なくとも一部に対応する領域をカバーし、伸び率が、前記第１のパターンと略同じで、前記第２のパターンおよび前記第３のパターンより高く、且つ前記第４のパターンより低い第５のパターンをさらに有する。
好適には、本発明の衣服は、前記第３のパターンに腹部側で隣接して位置し、へそに相当する領域をカバーし、前記第５のパターンと略同じ伸び率を有する第６のパターンをさらに有する。
好適には、本発明の衣服は、前記第３のパターンと前記第６のパターンとの間に、腹直筋と外腹斜筋との境界パターンに略沿ったストライプ状の前記第４のパターンが介在している。
【０００９】
好適には、本発明の衣服の前記第１のパターンは、両肩から左右の肩甲骨の間付近に向けて延びる第１の部分パターンと、前記左右の肩甲骨の間付近で前記第１の部分パターンと接合し、両袖下付近に延びる第２の部分パターンとを有する。
好適には、本発明の衣服の前記第１のパターンは、右肩から左右の肩甲骨の間付近に向けて延びる第１の部分パターンと、前記左右の肩甲骨の間付近で前記第１の部分パターンと接合し、右袖下付近に延びる第２の部分パターンと、左肩から前記左右の肩甲骨の間付近に向けて延びる第３の部分パターンと、前記左右の前記肩甲骨の間付近で前記第３の部分パターンと接合し、左袖下付近に延びる第４の部分パターンとを有する。前記第１の部分パターンと前記第２の部分パターンとの接合部と、前記第３の部分パターンと前記第４の部分パターンとの接合部は離間しており、当該離間箇所に前記第４のパターンが形成されている。
【００１０】
好適には、本発明の衣服は、前記第１の部分パターンと前記第２の部分パターンとの接合部と、前記第３の部分パターンと前記第４の部分パターンとの接合部との各々には、各々の前記接合部の先端の凸形状に応じた凸形状をした前記第４のパターンの開口部が形成されている。
好適には、本発明の衣服の前記第１のパターン、前記第５のパターンおよび前記第６のパターンは、前記第４のパターンに比べて、伸び率は小さく、引っ張りに対しての回復力は大きい。
好適には、本発明の衣服は、縫工筋上にその筋繊維方向に略沿って位置し、前記第１のパターンと同じ材質の第７のパターンをさらに有する。
好適には、本発明の衣服は、前記第５のパターンと前記第７のパターンとの間には、大腿筋膜張筋と縫工筋との境界領域に沿った略Ｌ字の前記第４のパターンが形成されている。
【発明の効果】
【００１１】
本発明によれば、胸を張りながら骨盤の前傾姿勢を保つことを効果的に補佐できる衣服を提供することができる。
【図面の簡単な説明】
【００１２】
【図１】図１は、本発明の第１実施形態に係わるアンダーウェアの正面図である。
【図２】図２は、本発明の第１実施形態に係わるアンダーウェアの背面図である。
【図３】図３（Ａ）は図１に示すアンダーウェアを人が着た状態での正面図、図３（Ｂ）は図１に示すアンダーウェアを人が着た状態での背面図である。
【図４】図４は、図１に示すアンダーウェアを人が着た状態での側面図である。
【図５】図５は、人体の前面から見た骨格図である。
【図６】図６は、左半分が人体の後面から見た筋肉図であり、右半分が人体の前面から見た筋肉図である。
【図７】図７は、パターンＰＡの特性を説明するための図である。
【図８】図８は、パターンＰＢの特性を説明するための図である。
【図９】図９は、パターンＰＣの特性を説明するための図である。
【図１０】図１０（Ａ）は本発明の第１実施形態の変形例に係わるスキーのレーシングウェアの正面図、図１０（Ｂ）は本発明の第１実施形態の変形例に係わるスキーのレーシングウェアの背面図である。
【図１１】図１１（Ａ）は本発明の第２実施形態に係わるスキー等のアンダーウェアの正面図、図１１（Ｂ）は図１１（Ａ）に示すアンダーウェアの右側面図、図１１（Ｃ）は図１１（Ａ）に示すアンダーウェアの平面図、図１１（Ｄ）は図１１（Ａ）に示すアンダーウェアの底面図、図１１（Ｅ）は図１１（Ａ）に示すアンダーウェアの背面図である。
【図１２】図１２（Ａ）は本発明の第２実施形態の変形例に係わるスキーのレーシングウェアの正面図、図１２（Ｂ）は本発明の第２実施形態の変形例に係わるスキーのレーシングウェアの背面図である。
【発明を実施するための形態】
【００１３】
以下、本発明の実施形態に係わる衣服について説明する。
本実施形態では、本発明をスキーのアンダーウェアに適用した場合を説明する。
【００１４】
＜第１実施形態＞
図１は本発明の実施形態に係わるスキー等のアンダーウェア１の正面図、図２は本発明の実施形態に係わるアンダーウェア１の背面図である。
図３（Ａ）は図１に示すアンダーウェア１を人が着た状態での正面図、図３（Ｂ）は図１に示すアンダーウェア１を人が着た状態での背面図、図４は図１に示すアンダーウェア１を人が着た状態での側面図である。
【００１５】
図５は、人体の前面から見た骨格図である。
図６は、左半分が人体の後面から見た筋肉図であり、右半分が人体の前面から見た筋肉図である。
【００１６】
図１に示すように、アンダーウェア１は、３種類のパターンＰＡ，ＰＢ，ＰＣを組み合わせて構成される。
パターンＰＡ，ＰＢ，ＰＣは、引張硬さＬＴ、引っ張りに対する回復力ＲＴ、伸び率ＥＭＴの３つの指標で特性が示されている。
【００１７】
図７はパターンＰＡの特性図、図８はパターンＰＢの特性図、図９はパターンＰＣの特性図である。
パターンＰＡは、３つのパターンのなかで、引張硬さＬＴが最も大きく、引っ張りに対する回復力ＲＴおよび伸び率ＥＭＴは無い。
パターンＰＢは、３つのパターンのなかで、引張硬さＬＴが２番目に大きく、引っ張りに対する回復力ＲＴが最も大きく、伸び率ＥＭＴが２番目に大きい。
パターンＰＣは、３つのパターンのなかで、引張硬さＬＴが最も小さく、引っ張りに対する回復力ＲＴが２番目に大きく、伸び率ＥＭＴが最も大きい。
【００１８】
すなわち、パターンＰＡは、非常に硬く、殆ど伸び縮みしない。
パターンＰＢは、パターンＰＡに比べると伸びるが、引っ張りに対する回復力はパターンＰＡより大きい。
パターンＰＣは、非常によく伸びる素材であり、引っ張りに対する回復力は中程度である。
【００１９】
図７，図８および図９は、２軸引っ張り試験の結果であり、「ＷＡＲＰ」は素材縦（Ｙ）方向の結果、「ＷＥＦＴ」は素材横（Ｘ）方向の結果である。
引張硬さＬＴは、引っ張り直線性の結果であり、パターン（布）を設定荷重で引っ張ったときの硬さと柔らかさを示す。絶対的な硬さを「１」とし、この絶対値に対して値がいくつかで硬さの判断を行う。値の小さいものは硬く、大きいものは柔らかい。
回復力ＲＴは、引っ張り回復性の結果であり、パターンを設定荷重で引っ張って、元に戻したときの回復性を示す。回復性が高いとは、ゴム・バネのような素材であり、体への締め付けが強くなる。また、血液が阻害され、体の動きを邪魔する。一方、回復性が低いとは、フィット性がなく、ブカツキが起きやすい。また、サポート性が低い。
伸び率ＥＭＴは、パターンを設定荷重で引っ張ったときの伸び量を示す。
【００２０】
アンダーウェア１では、図１に示すように、上述した３種類のパターンＰＡ，ＰＢ，ＰＣを組み合わせて構成することで、装着者が胸を張りながら骨盤の前傾姿勢を保つことを効果的に補佐できる。
【００２１】
アンダーウェア１において、パターンＰＡ，ＰＢは、例えばパターンＰＣ上にパターンＰＡ，ＰＢを貼り付けることで形成されている。また、このような貼り付けではなくてもよい。
【００２２】
以下、図１および図２に示す各パターンについて説明する。
図１および図２に示すように、アンダーウェア１の背面には、大殿筋の仙骨側を、当該仙骨に対応する領域を内側に位置させるようにカバーするようにパターンＰＡ１が形成されている。
パターンＰＡ１の中央のやや上には左右方向に伸びる縫い目１４が形成されている。装着者は、骨盤を前傾姿勢にしたときに、この縫い目１４に沿って体をスムーズに曲げることができる。
パターンＰＡ１の上側縁部と、縫い目１４は、上向きに滑らかに凸状になっている。
【００２３】
図１に示すように、アンダーウェア１の正面部において、パターンＰＡ１に対応する領域内の下部領域で下腹部周辺をカバーするようにパターンＰＡ２が形成されている。
パターンＰＡ２の上下の縁部は、下向きに滑らかに凸状になっている。
パターンＰＡ２は、左右で分離されており、ファスナー２０を介して留められる。
【００２４】
上述したように、アンダーウェア１の正面部において、パターンＰＡ１に対応する領域内の下部領域で下腹部周辺をカバーするようにパターンＰＡ２を形成したことで、アンダーウェア１の正面のパターンＰＡ２の上側で折れて骨盤の前傾姿勢を取り易くなる。
また、パターンＰＡ１の上側縁部を上向きに滑らかに凸状にし、パターンＰＡ２の上下の縁部を下向きに滑らかに凸状にしたことによっても、上記前傾姿勢を取り易くしている。
【００２５】
図２に示すように、アンダーウェア１の背面部には、着用時に胸部を広げる向きの張力を両肩部に発生させるパターンＰＢ１が形成されている。
パターンＰＢ１は、両肩から肩甲骨の内側に向けて延びるパターンＰＢ１１と、パターンＰＢ１1と肩甲骨の内側で接合し、両袖下付近に延びるパターンＰＢ１２とを有する。
パターンＰＢ１２は、両袖下付近でパターンＰＢ３Ｒ，ＰＢ３Ｌと接合している。
パターンＰＢ１は、装着者の胸部を広げるように力を作用させ、装着者が骨盤の前傾姿勢を取りやすくする。
また、パターンＰＢ１１とパターンＰＢ１２とが接合する中央部に開口部２４を設けたことで、パターンＰＢ１1，ＰＢ１２による引っ張り力を適度に調整できると共に、通気性を良くできる。
【００２６】
アンダーウェア１の脇下側面、腰部、尻部付近にパターンＰＢ３Ｒ，ＰＢ３Ｌが形成されている。
パターンＰＢ３Ｒ，ＰＢ３Ｌは、袖下から広背筋、大腿筋膜張筋および大殿筋の各々の少なくとも一部に対応する領域をカバーしている。
パターンＰＢ３Ｒ，ＰＢ３Ｌは、背面において股下近くまで伸び、パターンＰＡ１がカバーする部分を除く大殿筋の領域の略全域をカバーする。
このように、パターンＰＢ３Ｒ，ＰＢ３Ｌによって装着者の腰回りを締め付けることで、装着者が骨盤の前傾姿勢を取り易くする。
また、背面部の尻付近で、パターンＰＢ３ＲとＰＢ３Ｌとの間にパターンＰＣを介在させて分離することで、左右の足の動きに伴う尻部の移動をスムーズにする。
また、脇下から広背筋の脇下部分をパターンＰＢ３Ｒ，ＰＢ３Ｌで形成したことで、スキー等による左右方向（横方向）の動きが生じたときに、パターンＰＢ３Ｒ，ＰＢ３Ｌの引っ張りに対する回復力（跳ね返り力）で左右の動きを補佐することができる。
【００２７】
また、アンダーウェア１のへそ部に相当する領域には、パターンＰＢ４Ｒ，ＰＢ４Ｌが形成されている。
パターンＰＢ４Ｒ，ＰＢ４Ｌは、パターンＰＢ３Ｒ，ＰＢ３Ｌに隣接して位置し、へそに相当する領域をカバーする。
また、パターンＰＢ４Ｒ，ＰＢ４ＬとパターンＰＢ３Ｒ，ＰＢ３Ｌとの間には、ヘソ付近から斜め上に向けて放射状に、伸び率が高いパターンＰＣが介在している。
このパターンＰＣの放射状は、腹直筋と外腹斜筋との境界パターンと略一致している。
このように放射状のパターンＰＣを設けたことで、腹直筋および外腹斜筋の動きをスムーズにすることができ、アンダーウェア１の機能を高めることができる。
なお、この放射状のパターンＰＣの幅は、例えば、５〜１０ｍｍである。また、この幅は、ヘソ付近から上にいくに従って狭くなっている。例えば、この幅は、ヘソ付近の端部では約１０ｍｍであり、反対側の端部では約５ｍｍである。これは、ヘソ付近に近くなるに従って腹直筋および外腹斜筋の動き量が増えるため、それに合わせた伸び率を確保するためである。
【００２８】
パターンＰＢ４Ｒ，ＰＢ４Ｌは、パターンＰＢ３Ｒ，ＰＢ３Ｌと共に、腹部をカーバする。これにより、伸び率が略無いパターンＰＡ１，ＰＡ２と、背面のパターンＰＡ１の上側の伸び率が高いパターンＰＣとの組み合わせで、骨盤を前傾させる効果を発揮する。
パターンＰＢ４Ｒ，ＰＢ４Ｌは、ファスナー２０を介して留められる。
【００２９】
図２に示すように、背面において、パターンＰＢ３ＲとＰＢ３Ｌとの間にストライプ状のパターンＰＣの領域を設けたことで、左右の足の動きの独立性を高め、動き易くできる。
【００３０】
また、アンダーウェア１の両足の縫工筋上の位置には、その筋繊維方向に略沿ってパターンＰＢ５Ｒ，ＰＢ５Ｌが形成されている。
このようにパターンＰＢ５Ｒ，ＰＢ５Ｌを設けたことで、当該パターンの引っ張りに対する回復力によって足のスムーズな動きを補助できる。
パターンＰＢ５Ｒ，ＰＢ５Ｌは、幅約５ｍｍのＬ字型のパターンＰＣを挟んで、パターンＰＢ３Ｒ，ＰＢ３Ｌに隣接して位置する。このようにＬ字型のパターンＰＣを設けたことで、装着時に足の動きをスムーズにすることができる。
このＬ字型のパターンＰＣは、大腿筋膜張筋と縫工筋との境界領域（ライン）に沿ったパターンになっており、大腿筋膜張筋と縫工筋の動きをスムーズにし、アンダーウェア１の機能を高めることができる。
【００３１】
上述したように第１実施形態のアンダーウェア１によれば、上述したパターンＰＡ，ＰＢ，ＰＣを図１および図２に示すように組み合わせて形成することで、胸を張りながら骨盤の前傾姿勢を保つことを効果的に補佐できる等の効果を発揮できる。
【００３２】
上述した第１実施形態では袖無し、半ズボンのアンダーウェア１を例示したが、図１０に示すように、長袖、長ズボンとしてスキーのレーシングウェアを構成してもよい。図１０（Ａ）は正面図、図１０（Ｂ）は背面図である。
【００３３】
＜第２実施形態＞
図１１（Ａ）は本発明の第２実施形態に係わるスキー等のアンダーウェア１０１の正面図、図１１（Ｂ）は図１１（Ａ）に示すアンダーウェア１０１の右側面図、図１１（Ｃ）は図１１（Ａ）に示すアンダーウェア１０１の平面図、図１１（Ｄ）は図１１（Ａ）に示すアンダーウェア１０１の底面図、図１１（Ｅ）は図１１（Ａ）に示すアンダーウェア１０１の背面図である。
【００３４】
図１１（Ａ）に示すようにアンダーウェア１０１は、図１に示す第１実施形態のアンダーウェア１と同じである。
一方、図１１（Ｂ）に示すように、アンダーウェア１０１の背面は、着用時に胸部を広げる向きの張力を両肩部に発生させるパターンＰＢ１２０が形成されている。
パターンＰＢ１２０は、左肩から肩甲骨の内側に向けて延びるパターンＰＢＬ１１と、パターンＰＢＬ１１と左右の肩甲骨の間付近で接合し、左袖下付近に延びるパターンＰＢＬ１２とを有する。
【００３５】
また、パターンＰＢ１２０は、右肩から上記左右の肩甲骨の間付近に向けて延びるパターンＰＢＲ１１と、パターンＰＢＲ１１と上記左右の肩甲骨の間付近で接合し、右袖下付近に延びるパターンＰＢＲ１２とを有する。
パターンＰＢ１２０は、装着者の胸部を広げるように力を作用させ、装着者が骨盤の前傾姿勢を取りやすくする。
また、パターンＰＢＬ１１およびＰＢＬ１２と、パターンＰＢＲ１１およびＰＢＲ１２とを分離したことで、引っ張り力を適度に調整できると共に、通気性を良くできる。
また、アンダーウェア１０１の背面のパターンＰＢＬ１１とＰＢＬ１２との接合部、並びにパターンＰＢＲ１１とＰＢＲ１２との接合部の各々には、当該接合部の先端の凸形状に応じた凸形状の切り込みによってパターンＰＣ１Ｌ，ＰＣ２Ｒが形成されている。
このようなパターンＰＣ１Ｌ，ＰＣ２Ｒの切り込みによって、肩甲骨の動きに対応する連動性を高めることができる。
【００３６】
なお、アンダーウェア１０１は、背面において、パターンＰＢ１２０以外のパターンの構成は、アンダーウェア１と同じである。
アンダーウェア１０１によっても、第１実施形態のアンダーウェア１と同様の効果を発揮できる。
【００３７】
上述した第２実施形態では袖無し、半ズボンのアンダーウェア１を例示したが、図１２に示すように、長袖、長ズボンとしてスキーのレーシングウェアを構成してもよい。図１２（Ａ）は正面図、図１２（Ｂ）は背面図である。
【００３８】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、本発明をアンダーウェアに適用した場合を例示したが、それ以外の衣服に適用してもよい。
また、本実施形態は、本発明の第１〜７のパターンの一例であり、それ以外のパターンであってもよい。
【産業上の利用可能性】
【００３９】
本発明は、スキー等のスポーツに適した衣服に適用可能である。
【符号の説明】
【００４０】
１，１０１…アンダーウェア
ＰＡｘ，ＰＢｘ，ＰＣｘ…パターン
【図１】
2014058746.tif 000003
【図２】
2014058746.tif 000004
【図３】
2014058746.tif 000005
【図４】
2014058746.tif 000006
【図５】
2014058746.tif 000007
【図６】
2014058746.tif 000008
【図７】
2014058746.tif 000009
【図８】
2014058746.tif 000010
【図９】
2014058746.tif 000011
【図１０】
2014058746.tif 000012
【図１１】
2014058746.tif 000013
【図１２】
2014058746.tif 000014
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
人体の首回り下の胴体から膝上部分の略全域に密着して着用される衣服であって、
着用時に胸部を広げる向きの張力を両肩部に発生させるように、背面において両肩部から左右の肩甲骨の間付近に向けて延びる部分パターンと、前記左右の肩甲骨の間付近から袖下付近に延びる部分パターンとが配置された第１のパターンと、
背面において大殿筋の仙骨側を、当該仙骨に対応する領域を内側に位置させるようにカバーし、略伸縮しない第２のパターンと、
正面において前記第２パターンに対応する領域内の下部領域で下腹部周辺をカバーし、略伸縮しない第３のパターンと、
前記第１のパターン、前記第２のパターンおよび前記第３のパターンが形成された領域以外の領域に位置し、前記第１のパターン、前記第２のパターンおよび前記第３のパターンに比べて伸び率が高い第４のパターンと、
袖下から広背筋、大腿筋膜張筋および大殿筋の各々の少なくとも一部に対応する領域をカバーし、伸び率が、前記第１のパターンと略同じで、前記第２のパターンおよび前記第３のパターンより高く、且つ前記第４のパターンより低い第５のパターンと
を有する衣服。
【請求項２】
前記第３のパターンに腹部側で隣接して位置し、へそに相当する領域をカバーし、前記第５のパターンと略同じ伸び率を有する第６のパターンをさらに有する
請求項１に記載の衣服。
【請求項３】
前記第３のパターンと前記第６のパターンとの間に、腹直筋と外腹斜筋との境界パターンに略沿ったストライプ状の前記第４のパターンが介在している
請求項２に記載の衣服。
【請求項４】
前記第１のパターンは、
両肩から左右の肩甲骨の間付近に向けて延びる第１の部分パターンと、
前記左右の肩甲骨の間付近で前記第１の部分パターンと接合し、両袖下付近に延びる第２の部分パターンと
を有する請求項１〜３のいずれかに記載の衣服。
【請求項５】
前記第１のパターンは、
右肩から左右の肩甲骨の間付近に向けて延びる第１の部分パターンと、
前記左右の肩甲骨の間付近で前記第１の部分パターンと接合し、右袖下付近に延びる第２の部分パターンと、
左肩から前記左右の肩甲骨の間付近に向けて延びる第３の部分パターンと、
前記左右の肩甲骨の間付近で前記第３の部分パターンと接合し、左袖下付近に延びる第４の部分パターンと
を有し、
前記第１の部分パターンと前記第２の部分パターンとの接合部と、前記第３の部分パターンと前記第４の部分パターンとの接合部は離間しており、当該離間箇所に前記第４のパターンが形成されている
請求項１〜３のいずれかに記載の衣服。
【請求項６】
前記第１の部分パターンと前記第２の部分パターンとの接合部と、前記第３の部分パターンと前記第４の部分パターンとの接合部との各々には、各々の前記接合部の先端の凸形状に応じた凸形状をした前記第４のパターンの開口部が形成されている
請求項５に記載の衣服。
【請求項７】
前記第１のパターン、前記第５のパターンおよび前記第６のパターンは、
前記第４のパターンに比べて、伸び率は小さく、引っ張りに対しての回復力は大きい
請求項２〜６のいずれかに記載の衣服。
【請求項８】
縫工筋上にその筋繊維方向に略沿って位置し、前記第１のパターンと同じ材質の第７のパターン
をさらに有する請求項３〜７のいずれかに記載の衣服。
【請求項９】
前記第５のパターンと前記第７のパターンとの間には、大腿筋膜張筋と縫工筋との境界領域に沿った略Ｌ字の前記第４のパターンが形成されている
請求項６に記載の衣服。
【手続補正２】
【補正対象書類名】明細書
【補正対象項目名】０００６
【補正方法】変更
【補正の内容】
【０００６】
本発明の衣服は、人体の首回り下の胴体から膝上部分の略全域に密着して着用される衣服であって、着用時に胸部を広げる向きの張力を両肩部に発生させるように、背面において両肩部から左右の肩甲骨の間付近に向けて延びる部分パターンと、前記左右の肩甲骨の間付近から袖下付近に延びる部分パターンとが配置された第１のパターンと、背面において大殿筋の仙骨側を、当該仙骨に対応する領域を内側に位置させるようにカバーし、略伸縮しない第２のパターンと、正面において前記第２パターンに対応する領域内の下部領域で下腹部周辺をカバーし、略伸縮しない第３のパターンと、前記第１のパターン、前記第２のパターンおよび前記第３のパターンが形成された領域以外の領域に位置し、前記第１のパターン、前記第２のパターンおよび前記第３のパターンに比べて伸び率が高い第４のパターンと、袖下から広背筋、大腿筋膜張筋および大殿筋の各々の少なくとも一部に対応する領域をカバーし、伸び率が、前記第１のパターンと略同じで、前記第２のパターンおよび前記第３のパターンより高く、且つ前記第４のパターンより低い第５のパターンと  を有する。
【手続補正３】
【補正対象書類名】明細書
【補正対象項目名】０００８
【補正方法】変更
【補正の内容】
【０００８】
好適には、本発明の衣服は、前記第３のパターンに腹部側で隣接して位置し、へそに相当する領域をカバーし、前記第５のパターンと略同じ伸び率を有する第６のパターンをさらに有する。
好適には、本発明の衣服は、前記第３のパターンと前記第６のパターンとの間に、腹直筋と外腹斜筋との境界パターンに略沿ったストライプ状の前記第４のパターンが介在している。